(57)【要約】【課題】移動通信端末内におけるサービングセルの無線アクセス方式を監視することにより、ピンポン現象を回避し、その結果、電力消費を抑えると共に安定した通信を確保する。【解決手段】複数の無線アクセス方式に対応した移動通信端末は、当該移動通信端末内におけるサービングセルの無線アクセス方式を監視する無線アクセス方式監視部と、所定期間内にサービングセルの無線アクセス方式が変化した回数と所定の閾値とを比較し、閾値を超えた場合にピンポン状態になったと判断するピンポン状態検出部と、ピンポン状態になったと判断された場合、いずれかの無線アクセス方式を無効にする無線アクセス方式制御部とを有する。【選択図】図２
2015226282.tif 000002
【特許請求の範囲】
【請求項１】
複数の無線アクセス方式に対応した移動通信端末であって、
当該移動通信端末内におけるサービングセルの無線アクセス方式を監視する無線アクセス方式監視部と、
所定期間内にサービングセルの無線アクセス方式が変化した回数と所定の閾値とを比較し、閾値を超えた場合にピンポン状態になったと判断するピンポン状態検出部と、
ピンポン状態になったと判断された場合、いずれかの無線アクセス方式を無効にする無線アクセス方式制御部と、
を有する移動通信端末。
【請求項２】
前記ピンポン状態検出部は、位置登録エリアが変わった場合、ピンポン状態が解消したと判断し、
前記無線アクセス方式制御部は、ピンポン状態が解消した場合、無効にした無線アクセス方式を有効にする、請求項１に記載の移動通信端末。
【請求項３】
ピンポン状態が生じたときに起動するピンポン状態維持タイマを更に有し、
前記ピンポン状態検出部は、前記ピンポン状態維持タイマが満了した場合、ピンポン状態が解消したと判断し、
前記無線アクセス方式制御部は、ピンポン状態が解消した場合、無効にした無線アクセス方式を有効にする、請求項１又は２に記載の移動通信端末。
【請求項４】
当該移動通信端末が通信圏外となったときに起動する圏外維持タイマを更に有し、
前記ピンポン状態検出部は、前記圏外維持タイマが満了した場合、ピンポン状態が解消したと判断し、
前記無線アクセス方式制御部は、ピンポン状態が解消した場合、無効にした無線アクセス方式を有効にする、請求項１乃至３のうちいずれか１項に記載の移動通信端末。
【請求項５】
ピンポン状態になった場合及びピンポン状態が解消した場合にユーザに通知するユーザ通知部を更に有する、請求項１乃至４のうちいずれか１項に記載の移動通信端末。
【請求項６】
ピンポン状態になった場合及びピンポン状態が解消した場合に基地局又は基地局を制御する装置に通知するネットワーク通知部を更に有する、請求項１乃至５のうちいずれか１項に記載の移動通信端末。
【請求項７】
複数の無線アクセス方式に対応した移動通信端末における無線アクセス方式制御方法であって、
当該移動通信端末内におけるサービングセルの無線アクセス方式を監視するステップと、
所定期間内にサービングセルの無線アクセス方式が変化した回数と所定の閾値とを比較し、閾値を超えた場合にピンポン状態になったと判断するステップと、
ピンポン状態になったと判断された場合、いずれかの無線アクセス方式を無効にするステップと、
を有する無線アクセス方式制御方法。
【発明の詳細な説明】
【技術分野】
【０００１】
本発明は、移動通信端末及び無線アクセス方式制御方法に関する。
【背景技術】
【０００２】
移動通信において、ＬＴＥ（Long Term Evolution）やＵＭＴＳ（Universal Mobile Telecommunications System）のような複数の無線アクセス方式（ＲＡＴ：Radio Access Technology）が用いられている。通常、移動通信端末はいずれかのＲＡＴに待ち受けし、発着信を行える状態になっている。しかし、ＲＡＴやＣＮ（Core Network）の無線パラメータ、エリア、故障等によって、ＲＡＴ間の遷移を繰り返すピンポン（Ping-Pong）現象が生じることがある。
【０００３】
図１に、ピンポン現象が発生する例を示す。ここでは、移動通信端末がＬＴＥ及びＵＭＴＳの双方のＲＡＴに対応する場合を想定する。
【０００４】
図１（Ａ）に示す例では、無線パラメータにより、移動通信端末がＬＴＥに優先的に待ち受けるように設定されているものとする。移動通信端末がＬＴＥエリアの端に存在する場合、ＬＴＥの品質劣化によりＵＭＴＳに遷移する。しかし、無線パラメータの設定によって移動通信端末はＬＴＥに遷移を試みる結果、ピンポン現象が発生する。
【０００５】
図１（Ｂ）に示す例では、ＬＴＥの交換機の故障等で移動通信端末がＬＴＥにおいて位置登録できないものとする。移動通信端末は、位置登録の失敗によりＵＭＴＳに遷移する。しかし、無線ネットワークの動作によって移動通信端末はＬＴＥに遷移を試みる結果、ピンポン現象が発生する。
【０００６】
ピンポン現象が生じた場合、移動通信端末は、サーチや位置登録等を頻繁に行うことにより電力を消費する。また、位置登録を実施するまでの間、一時的に発着信ができなくなる可能性があり、安定した通信を確保できない場合が生じる。
【先行技術文献】
【特許文献】
【０００７】
【特許文献１】特開2010-136103号公報
【発明の概要】
【発明が解決しようとする課題】
【０００８】
このようなピンポン現象を回避するため、ネットワークからコネクションを切断されて遷移が指示されるリダイレクション（Redirection）手順において特定のＲＡＴに接続するためのコネクション設定要求信号を用いることが検討されている（特許文献１参照）。このようなコネクション設定要求信号を用いた方法を用いて、ネットワークから頻繁にコネクションを切断される場合にピンポン現象を回避することができる。しかし、コネクション設定要求信号を用いた方法では、移動通信端末が待ち受け状態中にセルの優先度等に従い自律的にＲＡＴの遷移を実施する場合のピンポン現象は回避できない。更に、ハンドオーバ手順においても、ネットワークとのコネクションを維持したまま遷移が指示されるため、ピンポン現象を回避することはできない。
【０００９】
また、ＬＴＥに待ち受けする移動通信端末は、ＮＡＳ（Non Access Stratum）レイヤの状態により位置登録を行わずにＵＭＴＳに遷移する場合があるが、このような場合にはＬＴＥにおいて制御信号は送受信されないため、コネクション設定要求信号を用いた方法では、ピンポン現象を回避することができない。
【００１０】
本発明は、移動通信端末内におけるサービングセルの無線アクセス方式を監視することにより、ピンポン現象を回避し、その結果、電力消費を抑えると共に安定した通信を確保することを目的とする。
【課題を解決するための手段】
【００１１】
本発明の一形態に係る移動通信端末は、
複数の無線アクセス方式に対応した移動通信端末であって、
当該移動通信端末内におけるサービングセルの無線アクセス方式を監視する無線アクセス方式監視部と、
所定期間内にサービングセルの無線アクセス方式が変化した回数と所定の閾値とを比較し、閾値を超えた場合にピンポン状態になったと判断するピンポン状態検出部と、
ピンポン状態になったと判断された場合、いずれかの無線アクセス方式を無効にする無線アクセス方式制御部と、
を有することを特徴とする。
【００１２】
また、本発明の一形態に係る無線アクセス方式制御方法は、
複数の無線アクセス方式に対応した移動通信端末における無線アクセス方式制御方法であって、
当該移動通信端末内におけるサービングセルの無線アクセス方式を監視するステップと、
所定期間内にサービングセルの無線アクセス方式が変化した回数と所定の閾値とを比較し、閾値を超えた場合にピンポン状態になったと判断するステップと、
ピンポン状態になったと判断された場合、いずれかの無線アクセス方式を無効にするステップと、
を有することを特徴とする。
【発明の効果】
【００１３】
本発明によれば、移動通信端末内におけるサービングセルの無線アクセス方式を監視することにより、ピンポン現象を回避し、その結果、電力消費を抑えると共に安定した通信を確保することが可能になる。
【図面の簡単な説明】
【００１４】
【図１】ピンポン現象が発生する例を示す図
【図２】本発明の実施例に係る移動通信端末の構成図
【図３】本発明の実施例に係る移動通信端末の動作を示すフローチャート
【発明を実施するための形態】
【００１５】
以下、本発明の実施例について、図面を参照して説明する。
【００１６】
本発明の実施例では、複数のＲＡＴに対応した移動通信端末について説明する。例えば、移動通信端末は、ＲＡＴとしてＬＴＥやＵＭＴＳ等に対応し、いずれかのＲＡＴに待ち受けし、発着信を行うことができる。一方、複数のＲＡＴに対応した移動通信端末では、図１を参照して説明したように、ＲＡＴ間の遷移を繰り返すピンポン状態が生じる可能性がある。
【００１７】
ピンポン現象を回避するため、本発明の実施例に係る移動通信端末は、移動通信端末内におけるサービングセルの無線アクセス方式を監視し、ピンポン状態になったか否かを判断する。移動通信端末は、ピンポン状態になったと判断された場合、いずれかの無線アクセス方式を無効にすることにより、ピンポン現象を回避する。
【００１８】
本発明の実施例に係る移動通信端末の構成及び動作について以下に詳細に説明する。
【００１９】
＜移動通信端末の構成＞
図２に、本発明の実施例に係る移動通信端末１０の構成図を示す。移動通信端末１０は、無線部１０１と、ＲＡＴ監視部１０３と、アプリケーション部１０５と、ピンポン状態検出部１０７と、ＲＡＴ制御部１０９とを有する。また、移動通信端末１０は、ユーザ通知部１１１と、ネットワーク通知部１１３とを有してもよい。
【００２０】
無線部１０１は、基地局等のネットワーク側の装置と通信する機能を有する。無線部１０１は、複数のＲＡＴに対応しており、いずれかのＲＡＴに待ち受けし、発着信を行うことができる。
【００２１】
ＲＡＴ監視部１０３は、移動通信端末１０内におけるサービングセルのＲＡＴを監視する。サービングセルとは、移動通信端末１０と無線リンクを確立している基地局が提供するセルを示す。従って、ＲＡＴ監視部１０３は、移動通信端末１０が対応する複数のＲＡＴのうち、どのＲＡＴを用いて基地局と無線リンクが確立されているかを監視する。また、ＲＡＴ監視部１０３は、ＲＡＴにおける移動通信端末１０の位置登録エリアを示す位置登録情報を取得してもよい。
【００２２】
アプリケーション部１０５は、ＲＡＴを有効又は無効にする。無効にしたＲＡＴに対して、移動通信端末１０は待ち受けを行うことができず、発着信も行うことができない。
【００２３】
ピンポン状態検出部１０７は、移動通信端末１０がピンポン状態になったか否かを検出する。ピンポン状態とは、所定期間内にサービングセルのＲＡＴが変化した回数が閾値を超えた状態を示す。例えば、ピンポン状態検出部１０７は、所定期間内（例えば、１０分間）にサービングセルのＲＡＴが変化した回数が所定の閾値（例えば、１０回）を超えたか否かを判断する。以下、この閾値をピンポン閾値と呼ぶ。ピンポン状態を検出するための所定期間又はピンポン閾値には、別の値が用いられてもよい。ピンポン状態検出部１０７は、ＲＡＴ監視部１０３から位置登録情報を取得して位置登録エリアが変わった場合、ピンポン状態を解除し、再度、ピンポン状態になったか否かを検出してもよい。また、ピンポン状態検出部１０７は、ピンポン状態になってから一定の時間（例えば、６０分）が経過したことを通知するピンポン状態維持タイマが満了した場合、ピンポン状態を解除し、再度、ピンポン状態になったか否かを検出してもよい。また、ピンポン状態検出部１０７は、通信圏外になってから一定の時間（例えば、１０分）が経過したことを通知する圏外維持タイマが満了した場合、ピンポン状態を解除し、再度、ピンポン状態になったか否かを検出してもよい。ピンポン状態維持タイマの値又は圏外維持タイマの値には、別の値が用いられてもよい。
【００２４】
ＲＡＴ制御部１０９は、ピンポン状態検出部１０７においてピンポン状態になったと判断された場合、アプリケーション部１０５に対していずれかのＲＡＴの無効を指示する。無効にするＲＡＴは、新しい方の世代のＲＡＴとしてもよい。例えば、ＬＴＥとＵＭＴＳとのピンポン状態である場合には、ＬＴＥが無効にされてもよい。無効にするＲＡＴは、古い方の世代のＲＡＴでもよく、別の規則で定められたＲＡＴでもよい。
【００２５】
また、ＲＡＴ制御部１０９は、ＲＡＴ監視部１０３から位置登録情報を取得して位置登録エリアが変わった場合、アプリケーション部１０５に対して、無効にしたＲＡＴの有効を指示してもよい。また、ＲＡＴ制御部１０９は、ピンポン状態維持タイマが満了した場合、アプリケーション部１０５に対して、無効にしたＲＡＴの有効を指示してもよい。また、ＲＡＴ制御部１０９は、圏外維持タイマが満了した場合、アプリケーション部１０５に対して、無効にしたＲＡＴの有効を指示してもよい。
【００２６】
なお、図２ではＲＡＴ制御部１０９とアプリケーション部１０５が別々の機能部となっているが、これらの機能部が組み合わされてもよい。また、他の機能部も必要に応じて組み合わされてもよい。
【００２７】
ユーザ通知部１１１は、ピンポン状態になった場合及びピンポン状態が解消した場合にユーザに通知する。ユーザへの通知は、移動通信端末における画面表示でもよい。
【００２８】
ネットワーク通知部１１３は、ピンポン状態になった場合及びピンポン状態が解消した場合に基地局又は基地局を制御する装置に通知する。基地局を制御する装置は、通信事業者により運用されているネットワーク状態を監視するサーバでもよい。
【００２９】
＜移動通信端末の動作＞
図３に、本発明の実施例に係る移動通信端末１０の動作を示す。
【００３０】
まず、ピンポン状態検出部１０７は、ＲＡＴ遷移の情報（所定期間内にサービングセルのＲＡＴが変化した回数）からピンポン閾値を超えているかどうかの判定を行う（ステップＳ１０１）。ピンポン閾値を超えていない場合（ステップＳ１０１：ＮＯ）、ピンポン閾値の判定を繰り返す。ピンポン閾値の判定は一定の周期で繰り返されてもよい。
【００３１】
ピンポン閾値を超えている場合（ステップＳ１０１：ＹＥＳ）、ピンポン状態検出部１０７は、ピンポン状態と判断し、ＲＡＴ制御部１０９へピンポン状態の情報を送信する（ステップＳ１０３）。ピンポン状態の情報を受けたＲＡＴ制御部１０９は、アプリケーション部１０５に対して一方のＲＡＴの無効指示を送り、アプリケーション部１０５はＲＡＴを無効にする（ステップＳ１０５）。
【００３２】
ＲＡＴを無効にしたのち、ピンポン状態検出部１０７は位置登録エリアの変更、ピンポン状態維持タイマの満了、圏外維持タイマの満了のいずれかの条件を満たすかどうかを判定し続ける（ステップＳ１０７、Ｓ１０９、Ｓ１１１）。いずれかの条件が満たされた場合にはピンポン状態が解消されたものと判断し、ピンポン状態検出部１０７は、ＲＡＴ制御部１０９へピンポン状態の解消情報を送信する（ステップＳ１１３）。ピンポン状態の解消情報を受けたＲＡＴ制御部１０９は、アプリケーション部１０５に対して無効にしたＲＡＴの有効指示を送り、アプリケーション部１０５は、ＲＡＴを有効にする。
【００３３】
＜本発明の実施例の効果＞
本発明の実施例によれば、移動通信端末内におけるサービングセルのＲＡＴを監視することにより、ピンポン現象が生じた場合にいずれかのＲＡＴを無効にしてピンポン現象を抑止することが可能になる。その結果、電力消費を抑えると共に安定した通信を確保することが可能になる。
【００３４】
より具体的には、本発明の実施例では、移動通信端末内におけるサービングセルの情報を用いることで、ピンポン状態を検出する。このため、移動通信端末が待ち受け状態中にセルの優先度等に従い自律的にＲＡＴの遷移を実施する場合、又はネットワークとのコネクションを維持したまま遷移が指示されるハンドオーバ手順が実施される場合であっても、ピンポン状態を検出することが可能になる。また、コネクション設定要求信号によらず、ピンポン状態を検出することができ、ピンポン状態となった場合にいずれかのＲＡＴが無効にされるため、ピンポン状態になった場合にすぐにその状態を抑止することが可能になる。
【００３５】
また、位置登録エリアが変わった場合にピンポン状態ではなくなったと判断することにより、移動通信端末が移動し、ピンポン状態が解消した場合にすぐにＲＡＴを有効にできる。
【００３６】
また、ピンポン状態が生じたときに起動するピンポン状態維持タイマが満了した場合にピンポン状態ではなくなったと判断することにより、一定時間が経過し、ピンポン状態が解消した場合にすぐにＲＡＴを有効にできる。
【００３７】
また、移動通信端末が通信圏外となったときに起動する圏外維持タイマが満了した場合にピンポン状態ではなくなったと判断するとすることにより、現在待ち受け中のＲＡＴが圏外となり、ピンポン状態が解消した場合にすぐにＲＡＴを有効にできる。
【００３８】
また、ピンポン状態になった場合及びピンポン状態が解消した場合にユーザに通知することにより、ユーザがＲＡＴの有効・無効を確認できる。
【００３９】
また、ピンポン状態になった場合及びピンポン状態が解消した場合に通信事業者に通知することにより、通信事業者がピンポン現象の発生を確認し、ネットワークを改善することができる。
【００４０】
説明の便宜上、本発明の実施例に係る移動通信端末は機能的なブロック図を用いて説明しているが、本発明の実施例に係る移動通信端末は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００４１】
以上、移動通信端末内におけるサービングセルの無線アクセス方式を監視することにより、ピンポン現象を回避するための手法について説明したが、本発明は、上記の実施例に限定されることなく、特許請求の範囲内において、種々の変更・応用が可能である。
【符号の説明】
【００４２】
１０    移動通信端末
１０１  無線部
１０３  ＲＡＴ監視部
１０５  アプリケーション部
１０７  ピンポン状態検出部
１０９  ＲＡＴ制御部
１１１  ユーザ通知部
１１３  ネットワーク通知部
【図１】
2015226282.tif 000003
【図２】
2015226282.tif 000004
【図３】
2015226282.tif 000005